(57)【要約】【課題】付け爪を容易に生爪に貼り付けることができる付け爪粘着用シートを提供することを目的としている。【解決手段】離型性保護フィルム４ａは、両面粘着シート材３ａが貼着される生爪の先端側に両面粘着シート材３ａの幅のよりも狭い幅で両面粘着シート材３ａから外側に突出する剥離用舌片４３を備えているとともに、両面粘着シート材３ａおよび離型性保護フィルム４ａは、剥離用舌片４３の基端部から幅方向の両側に向かって凸のＲ形状に面取りされている構成とした。【選択図】      図１
2006181349.tif 000002
【特許請求の範囲】
【請求項１】
離型台紙上に略爪の形状に形成された少なくとも１つの両面粘着シート材がその一方の粘着面を向けて積層され、この両面粘着シート材の他方の面に離型性保護フィルムが積層されていて、粘着剤層および離型性保護フィルムを離型台紙から剥がし、両面粘着シート材の離型台紙側の面を生爪表面に貼着させたのち、両面粘着シート材から離型性保護フィルムを取り除き、露出した両面粘着シート材の離型性保護フィルム側の面に付け爪を貼着するようになっている付け爪粘着用シートであって、
前記離型性保護フィルムは、両面粘着シート材の幅よりも狭い幅で両面粘着シート材から外側に突出する剥離用舌片を備えているとともに、両面粘着シート材および離型性保護フィルムは、前記剥離用舌片の基端部から幅方向の両側に向かって凸のＲ形状に面取りされていることを特徴とする付け爪粘着用シート。
【請求項２】
離型性保護フィルムは、シリコーン加工紙からなる離型層とこの離型層を補強する補強層とを備えている請求項１に記載の付け爪粘着用シート。
【請求項３】
離型台紙上に寸法の異なる複数の両面粘着シート材が積層されている請求項１または請求項２に記載の付け爪粘着用シート。
【請求項４】
離型性保護フィルムの両面粘着シート材に対する離型性が、離型台紙の両面粘着シート材に対する離型性に比べて乏しい請求項１〜請求項３のいずれかに記載の付け爪粘着用シート。
【請求項５】
両面粘着シート材および離型性保護フィルムにおける前記剥離用舌片の形成位置とは反対側の端縁がその幅方向中央部から幅方向両側に向かって凸のＲ形状に面取りされている請求項１〜請求項４のいずれかに記載の付け爪粘着用シート。
【発明の詳細な説明】
【技術分野】
【０００１】
本発明は、付け爪を容易に生爪に貼り付けることができる付け爪粘着用シートに関する。
【背景技術】
【０００２】
昨今は、女性がお洒落のために生爪にネイルアートを施したり、生爪の上に付け爪を装着したりしている。
【０００３】
ところで、付け爪を生爪に装着する方法としては、接着剤あるいは両面粘着テープを用いて装着する方法がある（たとえば、特許文献１参照）。
【０００４】
しかし、付け爪を接着剤を用いて装着する方法においては、接着剤が硬化するまで、付け爪を押さえていなければならず、装着に時間がかかるとともに、付け爪を取り除く際も薬品や除光液を付け爪と生爪との間にしみ込ませ、接着剤を溶かさなければならず、時間がかかる。
【０００５】
一方、付け爪を、両面粘着テープを用いて装着する方法においては、両面粘着テープの一方の粘着面の離型シートを取り外して、生爪上に一方の粘着面を貼着させてのち、もう一方の粘着面の離型シートを取り除き、露出したもう一方の粘着面に付け爪を貼着するようになっているため、付け爪の装着取り外しが、接着剤を用いる場合に比べ短時間で済むが、離型シートを取り除く際に粘着層の一部に指先が触れて指先が粘着面に粘着し、生爪に両面粘着テープを上手に貼着させることが難しいという問題がある。
【特許文献１】特開２００２−１７４３３号公報
【発明の開示】
【発明が解決しようとする課題】
【０００６】
本発明は、上記事情に鑑みて、付け爪を容易に生爪に貼り付けることができる付け爪粘着用シートを提供することを目的としている。
【課題を解決するための手段】
【０００７】
上記目的を達成するために、本発明の請求項１に記載の付け爪粘着用シート（以下、「請求項１の付け爪粘着用シート」と記す）は、離型台紙上に略爪の形状に形成された少なくとも１つの両面粘着シート材がその一方の粘着面を向けて積層され、この両面粘着シート材の他方の面に離型性保護フィルムが積層されていて、粘着剤層および離型性保護フィルムを離型台紙から剥がし、両面粘着シート材の離型台紙側の面を生爪表面に貼着させたのち、両面粘着シート材から離型性保護フィルムを取り除き、露出した両面粘着シート材の離型性保護フィルム側の面に付け爪を貼着するようになっている付け爪粘着用シートであって、前記離型性保護フィルムは、両面粘着シート材の幅よりも狭い幅で両面粘着シート材から外側に突出する剥離用舌片を備えているとともに、両面粘着シート材および離型性保護フィルムは、前記剥離用舌片の基端部から幅方向の両側に向かって凸のＲ形状に面取りされていることを特徴としている。
【０００８】
剥離用舌片の幅は、引き剥がしの際に千切れなければできるだけ細い方が好ましいが
両面粘着シート材の最大幅の１５％〜３５％程度が好ましい。
【０００９】
剥離用舌片の長さは、指先で摘める長さがあれば、特に限定されないが、２ｍｍ〜４ｍｍ程度が好ましい。
【００１０】
本発明の請求項２に記載の付け爪粘着用シート（以下、「請求項２の付け爪粘着用シート」と記す）は、請求項１の付け爪粘着用シートにおいて、離型性保護フィルムは、シリコーン加工紙からなる離型層とこの離型層を補強する補強層とを備えていることを特徴としている。
【００１１】
補強層を形成する材料としては、特に限定されないが、たとえば、ポリエチレンフィルム、ポリエチレンテレフタレート（ＰＥＴ）フィルム等が挙げられる。
【００１２】
両面粘着シート材を形成する材料としては、特に限定されないが、たとえば、アクリル樹脂系粘着剤、不織布などからなる基材に粘着剤を含浸あるいは塗着させたもの等が挙げられ、アクリル樹脂系粘着剤単独のものが好ましく、中でも生爪表面に貼着した状態で付け爪側から指で押圧した時に１．３倍〜２倍程度（より好ましくは１．５倍前後）押し広げられる程度の展開性を備えたものが好ましい。
【００１３】
本発明の請求項３に記載の付け爪粘着用シート（以下、「請求項３の付け爪粘着用シート」と記す）は、請求項１または請求項２の付け爪粘着用シートにおいて、離型台紙上に寸法の異なる複数の両面粘着シート材が積層されていることを特徴としている。
【００１４】
本発明の請求項４に記載の付け爪粘着用シート（以下、「請求項４の付け爪粘着用シート」と記す）は、請求項１〜請求項３のいずれかの付け爪粘着用シートにおいて、離型性保護フィルムの両面粘着シート材に対する離型性が、離型台紙の両面粘着シート材に対する離型性に比べて乏しいことを特徴としている。
【００１５】
本発明の請求項５に記載の付け爪粘着用シート（以下、「請求項５の付け爪粘着用シート」と記す）は、請求項１〜請求項４のいずれかに記載の付け爪粘着用シートにおいて、両面粘着シート材および離型性保護フィルムにおける前記剥離用舌片の形成位置とは反対側の端縁がその幅方向中央部から幅方向両側に向かって凸のＲ形状に面取りされていることを特徴としている。
【発明の効果】
【００１６】
請求項１の付け爪粘着用シートは、以上のように、離型性保護フィルムが剥離用舌片を備えているので、両面粘着シート材を離型性保護フィルムとともに、離型台紙から剥がし、露出した両面粘着シート材の一方の面を、生爪に貼り付けたのち、剥離用舌片を指先等で摘んで、離型性保護フィルムを両面粘着シート材から引き剥がせば、両面粘着シート材が指先等につかず、綺麗に粘着剤層を生爪表面に貼着することができる。
【００１７】
しかも、剥離用舌片が両面粘着シート材から外側に突出するように設けられているので、例えば離型性保護フィルムとともに両面粘着シート材を生爪に貼り付けた際に剥離用舌片を指先等で摘みやすい。
【００１８】
さらに、両面粘着シート材および離型性保護フィルムは、前記剥離用舌片の基端部から幅両側が剥離用舌片に向かって凸のＲ形状に面取りされているので、両面粘着シート材のＲ部分を生爪の基端部や先端部のＲ部分に沿わせることによって、生爪にできるだけ隙間なく両面粘着シート材を貼着することができる。したがって、付け爪をしっかりと生爪表面に粘着固定させることができる。
【００１９】
請求項２の付け爪粘着用シートは、離型性保護フィルムが、シリコーン加工紙からなる離型層とこの離型層を補強する補強層とを備えているので、剥離用舌片の幅を細くすることができるとともに、トムソンによる打ち抜き加工によって両面粘着シート材および離型性保護フィルムを形成する場合、不要部分を容易に取り除くことができる。すなわち、離型性保護フィルムを、たとえば、ＰＥＴフィルムやポリ塩化ビニルフィルム等のみで形成することも可能であるが、ＰＥＴフィルムやポリ塩化ビニルフィルム等のみで離型性保護フィルムを形成した場合、別途補強層を設けなくても十分な強度が確保できるが、打ち抜き加工の際に不要部分がうまく取り除けない恐れがある。そこで、上記のように離型層として、ＰＥＴフィルムやポリ塩化ビニルフィルムに比べ柔らかいシリコーン加工紙を用いることによって不要部分がうまく取り除けるようになる。
【００２０】
請求項３の付け爪粘着用シートは、離型台紙上に寸法の異なる複数の両面粘着シート材が積層されているので、生爪の大きさに応じた大きさの粘着剤層を選択して、しっかりとかつ正確に付け爪を粘着固定させることができる。
【００２１】
請求項４の付け爪粘着用シートは、離型性保護フィルムの両面粘着シート材に対する離型性が、離型台紙の両面粘着シート材に対する離型性に比べて乏しいので、剥離用舌片を指先で摘んで離型台紙から引き剥がすようにすると、両面粘着シート材が離型性保護フィルム側に粘着した状態で確実に離型台紙から外れる。したがって、離型台紙からの引き剥がしが容易である。
【００２２】
請求項５の付け爪粘着用シートは、両面粘着シート材および離型性保護フィルムにおける前記剥離用舌片の形成位置とは反対側の端縁がその幅方向中央部から幅方向両側に向かって凸のＲ形状に面取りされているので、両面粘着シート材の前記Ｒ部分を生爪の端部のＲ部分に沿わせることによって、生爪一端にできるだけ隙間なく両面粘着シート材を貼着することができ、付け爪をしっかりと生爪の表面に粘着固定させることができる。
【発明を実施するための最良の形態】
【００２３】
以下に、本発明を、その実施の形態をあらわす図面を参照しつつ詳しく説明する。
【００２４】
図１および図２は、本発明にかかる付け爪粘着用シートの１つの実施の形態をあらわし
ている。
【００２５】
図１および図２に示すように、この付け爪粘着用シート１は、寸法が異なる７対の両面粘着シート材３ａ〜３ｇが所定の間隔を隔てて離型台紙２の離型面上にその一方の面を向けて貼着され、離型性保護フィルム４ａ〜４ｇがその離型面を各両面粘着シート材３ａ〜３ｇの他方の面に向けて各両面粘着シート材３ａ〜３ｇ上に貼着されている。
【００２６】
離型性保護フィルム４ａ〜４ｇは、離型面となるシリコーン加工紙製の離型層４１とこの離型層４１を補強するポリエチレンフィルム製の補強層４２とが積層されていて、両面粘着シート材３ａ〜３ｇの先端側中央には両面粘着シート材３ａ〜３ｇの幅よりも狭い幅で両面粘着シート材３ａ〜３ｇから外側に突出する剥離用舌片を備えている。
【００２７】
また、両面粘着シート材３ａ〜３ｇおよび離型性保護フィルム４ａ〜４ｇは、図１にも示すように、剥離用舌片４３の基端部から幅方向の両側に向かって凸のＲ形状に面取りされ、また両面粘着シート材３ｃ〜３ｇおよび離型性保護フィルム４ｃ〜４ｇについては、、図１にも示すように、剥離用舌片４３の形成位置とは反対側の端縁も幅方向両側に向かって凸のＲ形状に面取りされている。
【００２８】
さらに、離型性保護フィルム４ａ〜４ｇの両面粘着シート材３ａ〜３ｇに対する離型性は、離型台紙２の両面粘着シート材３ａ〜３ｇに対する離型性より乏しくなっている。
【００２９】
両面粘着シート材３ａ〜３ｇは、指によって押圧すると、面積が１．５倍前後大きくなる程度の展開性を備えるアクリル樹脂系粘着剤で形成されている。
【００３０】
そして、この付け爪用粘着シート１は、以下のようにして製造することができる。
【００３１】
すなわち、まず、図３に示すように、離型台紙となる第１の離型シート５の離型面に両面粘着シート材３ａ〜３ｇとなる粘着剤を所定のピッチおよび厚みにシート状粘着剤層６が形成されるように塗布する。
【００３２】
つぎに、シート状粘着剤層６の上面に離型性保護フィルム４ａ〜４ｇとなる第２の離型シート７をその離型面をシート状粘着剤層６に向けて貼着させる。
【００３３】
そして、トムソン（図示せず）によって、図４に２点鎖線（図４では４ｆ，４ｇ部分しかあらわれていない）で示すように剥離用舌片４３がシート状粘着剤層６の端縁からシート状粘着剤層６が設けられていない部分にかけて設けられるように第２の離型シート７およびシート状粘着剤層６を打ち抜いて、その外周り部分を第１の離型シート５から取り除くとともに、第１の離型シート５を離型台紙形状に裁断するようにしている。
【００３４】
この付け爪用粘着シート１は、以上のようになっており、図５に示すようにして付け爪８を生爪９に装着するようになっている。
【００３５】
すなわち、まず、図５（ａ）に示すように、生爪９の幅に合った大きさの両面粘着シート材３ａ（３ｂ〜３ｇ）の上面に貼着された離型性保護フィルム４ａ〜４ｇの剥離用舌片４３を指先で持って、離型性保護フィルム４ａ（４ｂ〜４ｇ）とともに両面粘着シート材３ａ（３ｂ〜３ｇ）を離型台紙２から引き剥がしたのち、両面粘着シート材３ａ（３ｂ〜３ｇ）の離型台紙２側の面を生爪９に貼着する。
【００３６】
つぎに、剥離用舌片４３を指先で持って図５（ｂ）に示すように、離型性保護フィルム４ａ（４ｂ〜４ｇ）を両面粘着シート材３ａ（３ｂ〜３ｇ）から引き剥がす。
【００３７】
図５（ｃ）に示すように、露出した両面粘着シート材３ａ（３ｂ〜３ｇ）のもう一方の面に付け爪８を貼着する。付け爪８を貼着する際には、付け爪８を指先で上側から押圧し、両面粘着シート材３ａを生爪９との間で両者に十分に密着するように展開させることが好ましい。
尚、両面粘着シート材３ａ（３ｂ〜３ｇ）の離型台紙２側の面を生爪９に貼着するに際して、図６に示すように、剥離用舌片４３を生爪９の先端側外方に位置させてもよいし、あるいは図７に示すように、生爪９の基端側外方に位置させてもよい。
また以上のつけ爪装着用粘着シートは、両面粘着シート材３ａ（３ｂ〜３ｇ）を剥離紙と共に剥離用台紙２から取り外して、図８に示すように、両面粘着シート材３ａ（３ｂ〜３ｇ）をつけ爪の裏面に貼り付けた上で、剥離紙を両面粘着シート材３ａ（３ｂ〜３ｇ）から剥離して、両面粘着シート材３ａ（３ｂ〜３ｇ）の表面を露呈させ、しかる後、つけ爪を手指の生爪９上に重ねて、両面粘着シート材３ａ（３ｂ〜３ｇ）を介してつけ爪を手指の生爪９に接着固定するようにしてもよい。
【００３８】
本発明にかかる付け爪粘着用シートは、上記の実施の形態に限定されない。たとえば、上記の実施の形態では、寸法が異なる複数の両面粘着シート材が離型台紙上に貼着されていたが、すべて同じ寸法でも構わない。
【００３９】
また、上記の実施の形態では、離型性保護フィルムが、離型層と補強層とが積層されたもので形成されているが、剥離用舌片が引き剥がしの際に千切れたりすることがなければ、補強層を設ける必要はない。
【図面の簡単な説明】
【００４０】
【図１】本発明にかかる付け爪粘着用シートの１つの実施の形態をあらわす平面図である。
【図２】図１のＸ−Ｘ線断面図である。
【図３】図１の付け爪粘着用シートの製造方法を説明する図であって、トムソンでの打ち抜き前の状態をあらわす一部切欠平面図である。
【図４】図１の付け爪粘着用シートの製造方法を説明する図であって、トムソンで打ち抜き、打ち抜き部を除去する前の状態をあらわす部分平面図である。
【図５】図１の付け爪粘着用シートの使用方法を工程順に説明する図である。
【図６】付け爪粘着用シートの生爪への取り付け例を示す説明図である。
【図７】付け爪粘着用シートの生爪への他の取り付け例を示す説明図である。
【図８】付け爪粘着用シートの付け爪への取り付け例を示す説明図である。
【符号の説明】
【００４１】
１  爪粘着用シート
２  離型台紙
３ａ〜３ｇ  両面粘着シート材
４ａ〜４ｇ  離型性保護フィルム
４１  離型層
４２  補強層
４３  剥離用舌片
８  付け爪
９  生爪
【図１】
2006181349.tif 000003
【図２】
2006181349.tif 000004
【図３】
2006181349.tif 000005
【図４】
2006181349.tif 000006
【図５】
2006181349.tif 000007
【図６】
2006181349.tif 000008
【図７】
2006181349.tif 000009
【図８】
2006181349.tif 000010